【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
検出された医学的状態に応答して局所アラームを出力するとともに、所定の期間内に患者による前記局所アラームに対する応答の欠如に基づいて前記患者に治療を提供するように構成された外的着用可能医療装置で使用するための遠隔アラームであって、
前記外的着用可能医療装置による前記局所アラームの出力に応答して、前記外的着用可能医療装置が提供するメッセージを示すＲＦ信号を受取るＲＦレシーバと、
前記レシーバに電気的に結合され、前記メッセージを音声信号に変換する音声回路と、
前記音声回路に電気的に結合され、前記音声信号を受取り、前記外的着用可能医療装置が提供する前記メッセージを再生する音声出力装置とを備える、遠隔アラーム。
【請求項２】
前記レシーバは、Bluetooth（登録商標）、無線ＵＳＢ、およびZigBee（登録商標）通
信規格のうちの１つを用いて前記ＲＦ信号を受取る、請求項１に記載の遠隔アラーム。
【請求項３】
前記メッセージは、音声メッセージ、サイレン、または音である、請求項１に記載の遠隔アラーム。
【請求項４】
前記外的着用可能医療装置は着用可能除細動器である、請求項１に記載の遠隔アラーム。
【請求項５】
前記メッセージは前記外的着用可能医療装置が提供できる音量よりも大きい音量で再生される、請求項１に記載の遠隔アラーム。
【請求項６】
前記外的着用可能医療装置は着用可能除細動器であり、前記メッセージは前記外的着用可能医療装置が提供できる音量よりも大きい音量で再生される、請求項１に記載の遠隔アラーム。
【請求項７】
前記遠隔アラームは、前記メッセージの受取りに応答して点灯する高輝度電球を含む、請求項１に記載の遠隔アラーム。
【請求項８】
前記ＲＦレシーバ、前記音声回路、前記音声出力装置、および前記電球は、前記外的着用可能医療装置とは異なる第１の装置に統合され、
前記第１の装置は、電源コンセントに直接差込むよう構成された前記第１の装置の外面に配置された、複数のコンタクトを含む、請求項７に記載の遠隔アラーム。
【請求項９】
前記第１の装置および前記外的着用可能医療装置とは別個の第２の装置をさらに備え、
前記第２の装置は、前記メッセージに対する応答が提供できる応答ボタンと、前記応答を前記外的着用可能医療装置に送るためのＲＦトランスミッタとを含む、請求項８に記載の遠隔アラーム。
【請求項１０】
前記第１の装置、前記第２の装置および前記外的着用可能医療装置とは別個の第３の装置をさらに備え、
前記第３の装置は前記外的着用可能医療装置が提供する前記メッセージを示す前記ＲＦ信号を受取るＲＦレシーバと、前記メッセージの受取りに応答して振動するよう構成されている電気機械式振動器とを含む、請求項９に記載の遠隔アラーム。
【請求項１１】
検出された医学的状態に応答して局所アラームを出力するとともに所定の期間内に患者による前記局所アラームに対する応答の欠如に基づいて前記患者に治療を提供するように構成された外的着用可能医療装置で使用するための遠隔アラームであって、
前記外的着用可能医療装置による前記局所アラームの出力に応答して、前記外的着用可能医療装置からＲＦ通信を受取るＲＦトランシーバと、
前記ＲＦトランシーバに電気的に結合されて、通信を処理し、通信の内容に基づいてメッセージを特定するプロセッサと、
前記プロセッサに電気的に結合され、前記メッセージを音声信号に変換する音声回路と、
前記音声回路に電気的に結合され、前記メッセージを聴覚的に再生する音声出力装置とを備える、遠隔アラーム。
【請求項１２】
前記メッセージは文字メッセージであり、前記音声回路は文字メッセージを音声信号に変換する音声合成器を含み、前記音声信号は前記音声出力装置によって再生されると、文字メッセージの音声バージョンに対応する、請求項１１に記載の遠隔アラーム。
【請求項１３】
前記メッセージは第１のメッセージであり、前記遠隔アラームは、前記プロセッサに電気的に結合され、かつネットワークに通信結合される少なくとも１つの通信インターフェイスをさらに備え、前記少なくとも１つの通信インターフェイスは、通信の受取りに応答して、ネットワークを介して第２のメッセージを通信するよう構成されている、請求項１１に記載の遠隔アラーム。
【請求項１４】
前記少なくとも１つの通信インターフェイスは、電話回線網インターフェイス、コンピュータネットワークインターフェイス、およびセルラーネットワークインターフェイスのうちの少なくとも１つを含む、請求項１３に記載の遠隔アラーム。
【請求項１５】
前記外的着用可能医療装置を着用している患者が医学的緊急事態を起こしていると示す通信の内容に応答して、前記プロセッサは、前記ネットワークを介して前記第２のメッセージを救急担当者に通信するよう前記少なくとも１つの通信インターフェイスに指示する、請求項１３に記載の遠隔アラーム。
【請求項１６】
前記第２のメッセージは、患者、患者の所在地、および医学的緊急事態を特定する、請求項１５に記載の遠隔アラーム。
【請求項１７】
前記外的着用可能医療装置を着用している患者が医学的緊急事態を起こしていると示す通信の内容に応答して、前記プロセッサは、前記ネットワークを介して第３のメッセージを患者の看護人および患者の身内のうちの少なくとも一方に通信するよう前記少なくとも１つの通信インターフェイスに指示する、請求項１６に記載の遠隔アラーム。
【請求項１８】
前記外的着用可能医療装置は着用可能除細動器である、請求項１６に記載の遠隔アラーム。
【請求項１９】
前記外的着用可能医療装置の補助電池を受容しかつ再充電するよう構成されている充電ステーションをさらに備える、請求項１８に記載の遠隔アラーム。
【請求項２０】
前記プロセッサに電気的に結合されているユーザインターフェイスをさらに備え、前記ユーザインターフェイスは前記メッセージに対する応答を受取るよう構成されており、
前記メッセージに対する応答の受取りに応答して、前記プロセッサは前記ＲＦトランシーバを介して前記応答を前記外的着用可能医療装置に送る、請求項１１に記載の遠隔アラーム。
【請求項２１】
前記メッセージは第１のメッセージであり、前記遠隔アラームは、前記プロセッサに電気的に結合され、かつネットワークに通信結合される少なくとも１つの通信インターフェイスをさらに備え、前記少なくとも１つの通信インターフェイスは、通信の受取りに応答して、前記ネットワークを介して第２のメッセージを通信するよう構成されている、請求項２０に記載の遠隔アラーム。
【請求項２２】
前記外的着用可能医療装置を着用している患者が医学的緊急事態を起こしていると示す通信内容に応答して、かつ前記遠隔アラームが前記メッセージに対して何の応答も受取らなかったことに応答して、前記プロセッサは、前記ネットワークを介して前記第２のメッセージを救急担当者に通信するよう前記少なくとも１つの通信インターフェイスに指示し、前記第２のメッセージは患者、患者の所在地、および医学的緊急実態のうちの少なくとも１つを特定する、請求項２１に記載の遠隔アラーム。
【請求項２３】
前記遠隔アラームは、前記外的着用可能医療装置を着用している患者の耳に前記遠隔アラームを固定するよう構成されているクリップを含む、請求項１１に記載の遠隔アラーム。
【請求項２４】
前記遠隔アラームは、前記外的着用可能医療装置を着用している患者の手首に前記遠隔アラームを固定するよう構成されているストラップを含む、請求項１１に記載の遠隔アラーム。
【請求項２５】
外的着用可能医療装置を着用している患者に医学的状態を遠隔から知らせる方法であって、
前記外的着用可能医療装置は、医学的状態の検出および前記外的着用可能医療装置によって出力された局所アラームに対する患者の応答の欠如に基づいて、前記外的着用可能医療装置を着用している患者に治療を適用するように構成され、
前記方法は、
前記外的着用可能医療装置と別個の第１の装置で、医学的状態の検出に応答して前記外的着用可能医療装置から通信を受取る動作と、
通信を前記第１の装置で処理し、通信の内容に基づいて患者に通信するべきメッセージを特定する動作と、
前記メッセージが直ちに患者に通信されるべきか否かを前記第１の装置で判断する動作と、
前記メッセージが直ちに患者に通信されるべきであるという判断に応答して、前記第１の装置で前記メッセージを音声信号に変換するとともに、前記メッセージを聴覚的に再生して、患者に医学的状態を知らせる動作とを備える、方法。
【請求項２６】
前記メッセージは第１のメッセージであり、前記方法は、
前記第１のメッセージを変換し、かつ聴覚的に再生する動作に応答して、前記第１のメッセージに対する応答を所定の時間待つ動作と、
前記所定の時間内に前記第１のメッセージに対する応答を受取らなかったことに応答して、前記第１の装置が通信結合されている通信ネットワークを介して、救急医療担当者、患者の看護人、および患者の身内のうちの少なくとも一人に第２のメッセージを通信して、医学的状況を知らせる動作とをさらに備える、請求項２５に記載の方法。
【請求項２７】
前記メッセージは直ちに患者に通信されなくともよいという判断に応答して、前記メッセージを文字メッセージに変換する動作と、
前記文字メッセージを前記第１の装置のメモリに記憶する動作と、
記憶されている前記文字メッセージを患者に知らせるために、前記第１の装置のインジケータをセットする動作とをさらに備える、請求項２５に記載の方法。
【請求項２８】
前記メッセージは第１のメッセージであり、前記方法は
前記第１の装置からの第２のメッセージを、前記第１の装置および前記外的着用可能医療装置と別個の第２の装置に送る動作をさらに備え、前記第２のメッセージは、患者に医学的状態を知らせるために、前記第２のメッセージの受取りに応答して前記第２の装置に振動することを指示する、請求項２５に記載の方法。
【請求項２９】
前記遠隔アラームは、ウォッチモニタである、請求項１または請求項１１に記載の遠隔アラーム。
【請求項３０】
前記遠隔アラームは、イヤホンである、請求項１または請求項１１に記載の遠隔アラーム。
【手続補正２】
【補正対象書類名】明細書
【補正対象項目名】００４３
【補正方法】変更
【補正の内容】
【００４３】
振動アラームユニット４２０は、患者に隣接して、または患者に意識があるのなら、振動が患者の注意を引く場所（たとえば患者が寝ているマットレスの下、または患者が座る椅子のクッションの下または後ろ）に配置するよう構成されている。振動アラームユニット４２０は、着用可能移動性装置３００（図２）および／またはＡＣレセプタクルアラームユニット４１０から情報を受取るアンテナ４２１と、圧電バイブレータなどの電気機械的振動器を含む。